(57)【要約】【課題】正六面体よりなる８個のキューブ体を形態変化と同時に異なる装飾面を露見することのできる変化に富んだ装飾体を提供するものである。【解決手段】隣接する８個のキューブ体の特定箇所を連結することにより折り曲げ自在とし、形態変化が可能な該キューブ体とし、該キューブ体本体の各々の面上を着脱自在で各種模様、図形、文字、色彩及びそれらの組み合わせからなる装飾物を貼着すること及び／又はキューブ体本体の内側に各種装飾物を挿入したり、また、その装飾物を異なる方向から見ることができるようにした装飾体。【選択図】図７
2017087656.tif 000002
【特許請求の範囲】
【請求項１】
Ａ１面乃至Ａ６面の６面よりなるキューブ体ＡとＢ１面乃至Ｂ６面の６面よりなるキューブ体Ｂを一方のキューブ体ＡのＡ１面の１稜と他方のキューブ体ＢのＢ１面の１稜との位置が隣接するように配置し、両者の稜の位置を折り曲げ自在の連結部とし、折り曲げ自在の連結材を両者の稜が中心位置となるようにＡ１面とＢ１面及びＡ５面とＢ６面の面全体にわたって架け渡し貼着してキューブ体Ａ、Ｂを連結し、
該キューブ体ＢのＢ２面の１稜とＣ１面乃至Ｃ６面の６面よりなるキューブ体ＣのＣ２面の１稜との位置が隣接するように配置し、両者の稜の位置を折り曲げ自在の連結部とし、折り曲げ自在の連結材を両者の稜が中心位置となるようにＢ２面とＣ２面及びＢ５面とＣ６面の面全体にわたって架け渡し貼着してキューブ体Ｂ、Ｃを連結し、
該キューブ体ＣのＣ１面の１稜とＤ１面乃至Ｄ６面の６面よりなるキューブ体ＤのＤ１面の１稜との位置が隣接するように配置し、両者の稜の位置を折り曲げ自在の連結部とし、折り曲げ自在の連結材を両者の稜が中心位置となるようにＣ１面とＤ１面及びＣ５面とＤ６面の面全体にわたって架け渡し貼着してキューブ体Ｃ、Ｄを連結し、
該キューブ体ＤのＤ３面の１稜とＥ１面乃至Ｅ６面の６面よりなるキューブ体ＥのＥ１面の１稜との位置が隣接するように配置し、両者の稜の位置を折り曲げ自在の連結部とし、折り曲げ自在の連結材を両者の稜が中心位置となるようにＤ３面とＥ１面及びＤ４面とＥ４面の面全体にわたって架け渡し貼着してキューブ体Ｄ、Ｅを連結し、
該キューブ体ＥのＥ１面の１稜とＦ１面乃至Ｆ６面の６面よりなるキューブ体ＦのＦ３面の１稜との位置が隣接するように配置し、両者の稜の位置を折り曲げ自在の連結部とし、折り曲げ自在の連結材を両者の稜が中心位置となるようにＥ３面とＦ３面及びＥ６面とＦ５面の面全体にわたって架け渡し貼着してキューブ体Ｅ、Ｆを連結し、
該キューブ体ＦのＦ２面の１稜とＧ１面乃至Ｇ６面の６面よりなるキューブ体ＧのＧ２面の１稜との位置が隣接するように配置し、両者の稜の位置を折り曲げ自在の連結部とし、折り曲げ自在の連結材を両者の稜が中心位置となるようにＦ２面とＧ２面及びＦ６面とＧ５面の面全体にわたって架け渡し貼着してキューブ体Ｆ、Ｇを連結し、
該キューブ体ＧのＧ３面の１稜とＨ１面乃至Ｈ６面の６面よりなるキューブ体ＨのＨ３面の１稜との位置が隣接するように配置し両者の稜の位置を折り曲げ自在の連結部とし、折り曲げ自在の連結材を両者の稜が中心位置となるようにＧ３面とＨ３面及びＧ６面とＨ５面の面全体にわたって架け渡し貼着してキューブ体Ｇ、Ｈを連結し、
該キューブ体ＨのＨ１面の１稜と前記キューブ体ＡのＡ３面の１稜との位置が隣接するように配置し、両者の稜の位置を折り曲げ自在の連結部とし、折り曲げ自在の連結材を両者の稜が中心位置となるようにＨ１面とＡ３面及びＨ４面とＡ４面の面全体にわたって架け渡し貼着してキューブ体Ｈ、Ａを連結し、
上記により８個の正六面体よりなるキューブ体を所定面において連結して立体形状を形成し、
上記連結材の表面及び連結材の非貼着面のキューブ体表面に各種模様、図形、文字、色彩及びそれらの組み合わせのいずれかを表現した別体の薄板を着脱自在に貼着し、連結されたキューブ体相互の稜の位置で折り曲げることにより立体形状の形態変化と同時にキューブ体の異なる位置を露見させてなることを特徴とする８個のキューブ体を連結してなる装飾体。
【請求項２】
キューブ体の内側に空間部を設け、該空間部内を各種物品又は各種装飾物の収納部としてなることを特徴とする請求項１記載の８個のキューブ体を連結してなる装飾体。
【請求項３】
キューブ体のいずれかの面を開閉自在の蓋体とし、各種物品又は各種装飾物を取り替え自在としてなることを特徴とする請求項２記載の８個のキューブ体を連結してなる装飾体。
【請求項４】
キューブ体を透明又は半透明とし、連結材及び別体の薄板も透明又は半透明としたことを特徴とする請求項１乃至３のいずれか記載の８個のキューブ体を連結してなる装飾体。
【請求項５】
別体の薄板を和紙、千代紙又は友禅紙のいずれかとしたことを特徴とする請求項１乃至４のいずれか記載の８個のキューブ体を連結してなる装飾体。
【請求項６】
連結材の表面、連結材の稜の位置となる折り曲げ部、連結材の非貼着面の表面、キューブ体の内側又は別体の薄板のいずれかに発光手段、芳香手段、発音手段、エネルギー伝達による可動手段又は情報発受信手段のいずれかを設けたことを特徴とする請求項１乃至５のいずれか記載の８個のキューブ体を連結してなる装飾体。
【請求項７】
Ｊ１面乃至Ｊ６面の６面の各面を周辺部の枠材と該枠材で囲まれた開口部で形成したキューブ体Ｊと、Ｋ１面乃至Ｋ６面の６面の各面を周辺部の枠材と該枠材で囲まれた開口部で形成したキューブ体Ｋを一方のキューブ体ＪのＪ１面の１稜と他方のキューブ体ＫのＫ１面の１稜との位置が隣接するように配置し、両者の稜の位置を折り曲げ自在の連結部としてキューブ体Ｊ、Ｋを連結し、
該キューブ体ＫのＫ２面の１稜とＬ１面乃至Ｌ６面の６面の各面を周辺部の枠材と該枠材で囲まれた開口部で形成したキューブ体ＬのＬ２面の１稜との位置が隣接するように配置し、両者の稜の位置に折り曲げ自在の連結材を設けてキューブ体Ｋ、Ｌを連結し、
該キューブ体ＬのＬ１面の１稜とＭ１面乃至Ｍ６面の６面の各面を周辺部の枠材と該枠材で囲まれた開口部で形成したキューブ体ＭのＭ１面の１稜との位置が隣接するように配置し、両者の稜の位置に折り曲げ自在の連結材を設けてキューブ体Ｌ、Ｍを連結し、
該キューブ体ＭのＭ３面の１稜とＮ１面乃至Ｎ６面の６面の各面を周辺部の枠材と該枠材で囲まれた開口部で形成したキューブ体ＮのＮ１面の１稜との位置が隣接するように配置し、両者の稜の位置に折り曲げ自在の連結材を設けてキューブ体Ｍ、Ｎを連結し、
該キューブ体ＮのＮ３面の１稜とＰ１面乃至Ｐ６面の６面の各面を周辺部の枠材と該枠材で囲まれた開口部で形成したキューブ体ＰのＰ３面の１稜との位置が隣接するように配置し、両者の稜の位置に折り曲げ自在の連結材を設けてキューブ体Ｎ、Ｐを連結し、
該キューブ体ＰのＰ２面の１稜とＱ１面乃至Ｑ６面の６面の各面を周辺部の枠材と該枠材で囲まれた開口部で形成したキューブ体ＱのＱ２面の１稜との位置が隣接するように配置し、両者の稜の位置に折り曲げ自在の連結材を設けてキューブ体Ｐ、Ｑを連結し、
該キューブ体ＱのＱ３面の１稜とＲ１面乃至Ｒ６面の６面の各面を周辺部の枠材と該枠材で囲まれた開口部で形成したキューブ体ＲのＲ３面の１稜との位置が隣接するように配置し、両者の稜の位置に折り曲げ自在の連結材を設けてキューブ体Ｑ、Ｒを連結し、
該キューブ体ＲのＲ１面の１稜と前記キューブ体ＪのＪ３面の１稜との位置が隣接するように配置し、両者の稜の位置に折り曲げ自在の連結材を設けてキューブ体Ｒ、Ｊを連結し、
上記により８個の正六面体よりなるキューブ体を所定面において連結して立体形状を形成し、
上記枠材で囲まれた開口部と連通する内側の空間部を各種物品又は各種装飾物の収納部とし、連結されたキューブ体相互の稜の位置で折り曲げることにより立体形状の形態変化と同時にキューブ体の異なる位置を露見させてなることを特徴とする８個のキューブ体を連結してなる装飾体。
【請求項８】
稜における連結材を軸着、止め具、可撓性繋ぎ材、可撓性繋ぎ材と止め具の組み合わせ又は磁石と磁性体のいずれかとしたことを特徴とする請求項７記載の８個のキューブ体を連結してなる装飾体。
【請求項９】
キューブ体の空間部を、取り替え自在のアダプターの収納空間としてなることを特徴とする請求項７又は８記載の８個のキューブ体を連結してなる装飾体。
【請求項１０】
アダプターの内側を収納部とし、且つ、いずれかの面を開閉自在の蓋体とし、該収納部を各種物品又は各種装飾物の収納手段としてなることを特徴とする請求項９記載の８個のキューブ体を連結してなる装飾体。
【請求項１１】
アダプターの表面を各種模様、図形、文字、色彩、和紙・千代紙・友禅紙の貼着又は透明又は半透明としたことを特徴とする請求項９又は１０記載の８個のキューブ体を連結してなる装飾体。
【請求項１２】
キューブ体の空間部を連通した空間部とし、該連通した空間部間に跨って各種物品又は各種装飾物の収納部としてなることを特徴とする請求項７記載の８個のキューブ体を連結してなる装飾体。
【請求項１３】
キューブ体の枠材間を透明又は半透明の光を取り入れることのできる材料で被覆隠蔽し、内側を鏡状の反射材料とした空間部に小片装飾物を封入してなることを特徴とする請求項７乃至１０のいずれか記載の８個のキューブ体を連結してなる装飾体。
【請求項１４】
キューブ体の空間部、アダプター又は枠に、発光手段、芳香手段、発音手段、エネルギー伝達による可動手段又は情報発受信手段のいずれかを設けたことを特徴とする請求項７乃至１２のいずれか記載の８個のキューブ体を連結してなる装飾体。
【請求項１５】
８個のキューブ体のいくつかを組み合わせてなることを特徴とする請求項１乃至１４のいずれか記載の８個のキューブ体を連結してなる装飾体。
【発明の詳細な説明】
【技術分野】
【０００１】
本発明は、６面よりなる正立方体のキューブ体の８個を特定の箇所で折り曲げ自在に連結し、全体の形態を変化させると同時に、各面或いはキューブ体本体内の各種装飾物をキューブ体の表面側から見ることができるようにすることにより変化に富んだ装飾体を得ることに関する。
【背景技術】
【０００２】
従来より、６面よりなるキューブ体の複数個を連結し、折り曲げ自在としたものが存在するが、それらは装飾を前提としたものではなく、教育玩具や知育玩具或いはゲーム等を目的としたものであった。
【０００３】
６面よりなる正立方体のキューブ体の複数個を折り曲げ自在に組み合わせた従来のものは、その個々のキューブ体の６面の異なった模様、図形、文字、数字や色彩等をキューブ体を回動や折り曲げることで特定の表現を表面側に出現させ、所定条件を得ることで教育目的やゲーム目的を達成するものであり、その目的からして全体の形態変化と表面側に表われる各面を装飾を目的として出現させるものではなかった。
【０００４】
また、キューブ体の内側に各種物品又は各種装飾物を収納したり、その収納した物品や装飾物を表面側から見ることができるようにし、且つ、その目視できる面をキューブ体の形態変化に伴って様々な異なる面とすることを目的とするものではなかった。従って、キューブ体の各面を装飾を目的として変化させるという発想は全くなかった。
【０００５】
特許文献１には、一対のユニット素材を連結結合して組み立て構造体を形成しているが、該構造体の複数個が稜の位置で折り曲げること或いはそれらユニット素材の表面に各種模様、図形、文字、色彩及びそれらを組み合わせたもののいずれかを表現した別体のものを着脱自在に貼着することについては記載も示唆もされていない。
【０００６】
また、特許文献２には、複数の容器本体を傾斜のある支柱を介して連結することにより選択肢の多い容器本体の立体的配置を可能としているものであるが、上記容器本体は、隣接する容器本体の稜の位置で相互を折り曲げ自在に連結するものではなく、また、容器本体の表面の模様、図形、文字、色彩等によって表現変化をもたらすことについては記載も示唆もされていない。
【先行技術文献】
【特許文献】
【０００７】
【特許文献１】特開２００２−９５５３３号公報
【特許文献２】特開２００３−６１４７３号公報
【発明の概要】
【発明が解決しようとする課題】
【０００８】
本発明は、８個のキューブ体のいくつかの隣接するキューブ体の内の特定箇所を連結することにより折り曲げ自在として全体の形態を変化できるようにし、且つ、該キューブ体の各々の面上を着脱自在に装飾物を貼着すること及び／又はキューブ体の本体の内側に各種装飾物を挿入したり、また、その装飾物を異なる位置から見ることができるようにする装飾体を提供するものである。
【課題を解決するための手段】
【０００９】
本発明は、Ａ１面乃至Ａ６面の６面よりなるキューブ体ＡとＢ１面乃至Ｂ６面の６面よりなるキューブ体Ｂを一方のキューブ体ＡのＡ１面の１稜と他方のキューブ体ＢのＢ１面の１稜との位置が隣接するように配置し、両者の稜の位置を折り曲げ自在の連結部とし、折り曲げ自在の連結材を両者の稜が中心位置となるようにＡ１面とＢ１面及びＡ５面とＢ６面の面全体にわたって架け渡し貼着してキューブ体Ａ、Ｂを連結し、
該キューブ体ＢのＢ２面の１稜とＣ１面乃至Ｃ６面の６面よりなるキューブ体ＣのＣ２面の１稜との位置が隣接するように配置し、両者の稜の位置を折り曲げ自在の連結部とし、折り曲げ自在の連結材を両者の稜が中心位置となるようにＢ２面とＣ２面及びＢ５面とＣ６面の面全体にわたって架け渡し貼着してキューブ体Ｂ、Ｃを連結し、
該キューブ体ＣのＣ１面の１稜とＤ１面乃至Ｄ６面の６面よりなるキューブ体ＤのＤ１面の１稜との位置が隣接するように配置し、両者の稜の位置を折り曲げ自在の連結部とし、折り曲げ自在の連結材を両者の稜が中心位置となるようにＣ１面とＤ１面及びＣ５面とＤ６面の面全体にわたって架け渡し貼着してキューブ体Ｃ、Ｄを連結し、
該キューブ体ＤのＤ３面の１稜とＥ１面乃至Ｅ６面の６面よりなるキューブ体ＥのＥ１面の１稜との位置が隣接するように配置し、両者の稜の位置を折り曲げ自在の連結部とし、折り曲げ自在の連結材を両者の稜が中心位置となるようにＤ３面とＥ１面及びＤ４面とＥ４面の面全体にわたって架け渡し貼着してキューブ体Ｄ、Ｅを連結し、
該キューブ体ＥのＥ３面の１稜とＦ１面乃至Ｆ６面の６面よりなるキューブ体ＦのＦ３面の１稜との位置が隣接するように配置し、両者の稜の位置を折り曲げ自在の連結部とし、折り曲げ自在の連結材を両者の稜が中心位置となるようにＥ３面とＦ３面及びＥ６面とＦ５面の面全体にわたって架け渡し貼着してキューブ体Ｅ、Ｆを連結し、
該キューブ体ＦのＦ２面の１稜とＧ１面乃至Ｇ６面の６面よりなるキューブ体ＧのＧ２面の１稜との位置が隣接するように配置し、両者の稜の位置を折り曲げ自在の連結部とし、折り曲げ自在の連結材を両者の稜が中心位置となるようにＦ２面とＧ２面及びＦ６面とＧ５面の面全体にわたって架け渡し貼着してキューブ体Ｆ、Ｇを連結し、
該キューブ体ＧのＧ３面の１稜とＨ１面乃至Ｈ６面の６面よりなるキューブ体ＨのＨ３面の１稜との位置が隣接するように配置し両者の稜の位置を折り曲げ自在の連結部とし、折り曲げ自在の連結材を両者の稜が中心位置となるようにＧ３面とＨ３面及びＧ６面とＨ５面の面全体にわたって架け渡し貼着してキューブ体Ｇ、Ｈを連結し、
該キューブ体ＨのＨ１面の１稜と前記キューブ体ＡのＡ３面の１稜との位置が隣接するように配置し、両者の稜の位置を折り曲げ自在の連結部とし、折り曲げ自在の連結材を両者の稜が中心位置となるようにＨ１面とＡ３面及びＨ４面とＡ４面の面全体にわたって架け渡し貼着してキューブ体Ｈ、Ａを連結し、
上記により８個の正六面体よりなるキューブ体を所定面において連結して立体形状を形成し、
上記連結材の表面及び連結材の非貼着面のキューブ体表面に各種模様、図形、文字、色彩及びそれらの組み合わせのいずれかを表現した別体の薄板を着脱自在に貼着し、連結されたキューブ体相互の稜の位置で折り曲げることにより立体形状の形態変化と同時にキューブ体の異なる位置を露見させてなる８個のキューブ体を連結してなる装飾体を特徴とする。
【００１０】
また、上記キューブ体の内側に空間部を設け、該空間部内を各種物品又は各種装飾物の収納部としてなる８個のキューブ体を連結してなる装飾体を特徴とする。
【００１１】
更に、上記キューブ体のいずれかの面を開閉自在の蓋体とし、各種物品又は各種装飾物を取り替え自在としてなる８個のキューブ体を連結してなる装飾体を特徴とする。
【００１２】
また、上記キューブ体を透明又は半透明とし、連結材及び別体の薄板も透明又は半透明とした８個のキューブ体を連結してなる装飾体を特徴とする。
【００１３】
更に、上記別体の薄板を和紙、千代紙又は友禅紙のいずれかとした８個のキューブ体を連結してなる装飾体を特徴とする。
【００１４】
また、上記連結材の表面、連結材の稜の位置となる折り曲げ部、連結材の非貼着面の表面、キューブ体の内側又は別体の薄板のいずれかに発光手段、芳香手段、発音手段、エネルギー伝達による可動手段又は情報発受信手段のいずれかを設けた８個のキューブ体を連結してなる装飾体を特徴とする。
【００１５】
更に、Ｊ１面乃至Ｊ６面の６面の各面を周辺部の枠材と該枠材で囲まれた開口部で形成したキューブ体Ｊと、Ｋ１面乃至Ｋ６面の６面の各面を周辺部の枠材と該枠材で囲まれた開口部で形成したキューブ体Ｋを一方のキューブ体ＪのＪ１面の１稜と他方のキューブ体ＫのＫ１面の１稜との位置が隣接するように配置し、両者の稜の位置を折り曲げ自在の連結部としてキューブ体Ｊ、Ｋを連結し、
該キューブ体ＫのＫ２面の１稜とＬ１面乃至Ｌ６面の６面の各面を周辺部の枠材と該枠材で囲まれた開口部で形成したキューブ体ＬのＬ２面の１稜との位置が隣接するように配置し、両者の稜の位置に折り曲げ自在の連結材を設けてキューブ体Ｋ、Ｌを連結し、
該キューブ体ＬのＬ１面の１稜とＭ１面乃至Ｍ６面の６面の各面を周辺部の枠材と該枠材で囲まれた開口部で形成したキューブ体ＭのＭ１面の１稜との位置が隣接するように配置し、両者の稜の位置に折り曲げ自在の連結材を設けてキューブ体Ｌ、Ｍを連結し、
該キューブ体ＭのＭ３面の１稜とＮ１面乃至Ｎ６面の６面の各面を周辺部の枠材と該枠材で囲まれた開口部で形成したキューブ体ＮのＮ１面の１稜との位置が隣接するように配置し、両者の稜の位置に折り曲げ自在の連結材を設けてキューブ体Ｍ、Ｎを連結し、
該キューブ体ＮのＮ３面の１稜とＰ１面乃至Ｐ６面の６面の各面を周辺部の枠材と該枠材で囲まれた開口部で形成したキューブ体ＰのＰ３面の１稜との位置が隣接するように配置し、両者の稜の位置に折り曲げ自在の連結材を設けてキューブ体Ｎ、Ｐを連結し、
該キューブ体ＰのＰ２面の１稜とＱ１面乃至Ｑ６面の６面の各面を周辺部の枠材と該枠材で囲まれた開口部で形成したキューブ体ＱのＱ２面の１稜との位置が隣接するように配置し、両者の稜の位置に折り曲げ自在の連結材を設けてキューブ体Ｐ、Ｑを連結し、
該キューブ体ＱのＱ３面の１稜とＲ１面乃至Ｒ６面の６面の各面を周辺部の枠材と該枠材で囲まれた開口部で形成したキューブ体ＲのＲ３面の１稜との位置が隣接するように配置し、両者の稜の位置に折り曲げ自在の連結材を設けてキューブ体Ｑ、Ｒを連結し、
該キューブ体ＲのＲ１面の１稜と前記キューブ体ＪのＪ３面の１稜との位置が隣接するように配置し、両者の稜の位置に折り曲げ自在の連結材を設けてキューブ体Ｒ、Ｊを連結し、
上記により８個の正六面体よりなるキューブ体を所定面において連結して立体形状を形成し、
上記枠材で囲まれた開口部と連通する内側の空間部を各種物品又は各種装飾物の収納部とし、連結されたキューブ体相互の稜の位置で折り曲げることにより立体形状の形態変化と同時にキューブ体の異なる位置を露見させてなる８個のキューブ体を連結してなる装飾体を特徴とする。
【００１６】
また、上記稜における連結材を軸着、止め具、可撓性繋ぎ材、可撓性繋ぎ材と止め具の組み合わせ又は磁石と磁性体のいずれかとした８個のキューブ体を連結してなる装飾体を特徴とする。
【００１７】
更に、上記キューブ体の空間部を、取り替え自在のアダプターの収納空間としてなる８個のキューブ体を連結してなる装飾体を特徴とする。
【００１８】
また、上記アダプターの内側を収納部とし、且つ、いずれかの面を開閉自在の蓋体とし、該収納部を各種物品又は各種装飾物の収納手段としてなる８個のキューブ体を連結してなる装飾体を特徴とする。
【００１９】
更に、上記アダプターの表面を各種模様、図形、文字、色彩、和紙・千代紙・友禅紙の貼着又は透明又は半透明とした８個のキューブ体を連結してなる装飾体を特徴とする。
【００２０】
また、上記キューブ体の空間部を連通した空間部とし、該連通した空間部間に跨って各種物品又は各種装飾物の収納部としてなる８個のキューブ体を連結してなる装飾体を特徴とする。
【００２１】
更に、上記キューブ体の枠材間を透明又は半透明の光を取り入れることのできる材料で被覆隠蔽し、内側を鏡状の反射材料とした空間部に小片装飾物を封入してなる８個のキューブ体を連結してなる装飾体を特徴とする。
【００２２】
また、上記キューブ体の空間部、アダプター又は枠に、発光手段、芳香手段、発音手段、エネルギー伝達による可動手段又は情報発受信手段のいずれかを設けた８個のキューブ体を連結してなる装飾体を特徴とする。
【００２３】
更に、上記８個のキューブ体のいくつかを組み合わせてなる８個のキューブ体を連結してなる装飾体を特徴とする。
【００２４】
上記において、該キューブ体をＡ乃至Ｒと表現し、それらの６面をＡ１乃至Ａ６、Ｂ１乃至Ｂ６、…、Ｒ１乃至Ｒ６と表現しているが、それらはキューブ体及び該キューブ体の各面を表現するために便宜上使用したものであり、その文字や数字に限定されるものではない。また、付与されている符号の説明は後述している。
【発明の効果】
【００２５】
請求項１の第１の発明は、８個よりなる複数個のキューブ体を特定した稜の位置で折り曲げ自在としたので、いくつかの形態変化を可能とすると同時に、該キューブ体の表面に着脱自在とした薄板を替えることによりキューブ体の表面又は内側或いは薄板の表面に表現された各種模様、図形、文字、色彩及びそれらの組み合わせからなる各種表現を適宜変化させた状態で見ることのできる装飾手段を得ることが可能となった。
【００２６】
また、上記折り曲げは簡単に行うことができるので摩擦による磨耗や欠損が生じることは少なく、子供から高齢者に至るまで長期間にわたって変化を楽しむことのできる装飾体を得ることが可能となった。
【００２７】
更に、上記キューブ体は、正立方体となる立体形状であり、どのように形態変化させても平滑面や稜が載置面となり様々な箇所に安定的に載置できる装飾体を得ることが可能となった。
【００２８】
また、８個のキューブ体をいくつか組み合わせることにより、より一層異なった形態変化及び表面の様々な異なった表現の装飾体を得ることが可能となった。
【００２９】
請求項７の第２の発明は、枠材によって正六面体の外形を形成したキューブ体で、軽量とすることができ、折り曲げ負荷を必要としない装飾体を得ることができる。また、枠材に各種模様、図形、文字、色彩及びそれらを組み合わせたものを施すことにより装飾効果を一層高めることができる。
【００３０】
また、アダプターを使用するものにあっては、該キューブ体の表面側に現われる各種模様、図形、文字、色彩及びそれらの組み合わせが該枠材の内側に位置することになり、隣接することになる他のキューブ体の表面に表現されたそれらのものと直接触れることがなく、接触による表面側の磨耗や欠損が生じることがなくなった。従って、摩擦に弱い紙や凹凸のある紙等を被膜塗装やコーティング等によって表面保護しなくてもそのまま装飾物として使用することが可能となった。また、枠材によって装飾物の角部や縁部が保護されることになり、めくれたり破れたりすることがなくなった。
【００３１】
更に、角部や縁部が枠材によって隠蔽されることになるので、装飾物の切断端部が露見することがなく、該枠材内に綺麗に納めることができ、該枠材を額縁代わりとすることが可能となった。
【００３２】
また、形態変化をさせて各種模様、図形、文字、色彩及びそれらの組み合わせにおいて異なった表現形態のものが隣接位置となって表現されても該枠材により区画化されて表現されるため違和感の生じない装飾物を得ることが可能となった。
【００３３】
更に、枠材内に配置されるアダプターを香りのディフューザーとして利用しても、アダプターを外すことにより香りが残らないので、新たな香りのアダプター等を入れて楽しむことができる。また、アダプターに蓋を付けて内部を利用した場合でも、該枠材によってアダプター全体を押さえ込むことができるので、該アダプターの蓋を係止させる必要が無い。更に、枠材で囲んで保護するので、強度の無いアダプター（中空の紙箱等）でも利用することが可能である。また、アダプター単体が独立しているので、立体物への印刷技術（３D立体印刷）等での装飾も可能である。
【図面の簡単な説明】
【００３４】
【図１】（ａ）８個のキューブ体を連結してなる装飾体の表面側斜視図、（ｂ）同裏面側斜視図。
【図２】（ａ）８個のキューブ体を連結してなる可撓性連結材の表面側における連結位置を示す斜視図、（ｂ）同裏面側斜視図。
【図３】（ａ）８個のキューブ体を連結してなるキューブ体を左右に折り曲げる初期の状態を示す表面側斜視図、（ｂ）同裏面側斜視図。
【図４】（ａ）図１に示す８個のキューブ体を連結してなる装飾体を折り曲げて他の形態とした斜視図、（ｂ）同他の形態の斜視図。
【図５】キューブ体の表面に薄板を着脱自在とした斜視図。
【図６】（ａ）キューブ体の内側を空間部とした断面図、（ｂ）キューブ体の内側を空間部とする他の実施例の斜視図、（ｃ）キューブ体の一表面に蓋体を設けた斜視図、（ｄ）蓋体の他の実施例の斜視図、（ｅ）蓋体の他の実施例の斜視図、（ｆ）蓋体の他の実施例の斜視図、（ｇ）蓋体の他の実施例の斜視図。
【図７】８個のキューブ体を連結してなる装飾体の他の実施例の表面側斜視図。
【図８】（ａ）乃至（ｄ）枠材の異なる実施例の斜視図。
【図９】キューブ体の枠材へ嵌合する蓋部の実施例の斜視図。
【図１０】（ａ）アダプターの斜視図、（ｂ）アダプターの他の実施例の斜視図。
【図１１】フレーム付装飾物としたアダプターの斜視図。
【図１２】（ａ）蓋体を設けたアダプターの斜視図、（ｂ）同蓋体付アダプターの他の実施例の斜視図。
【図１３（ａ）−（ｈ）】（ａ）軸着によるキューブ体の回動手段の平面図、（ｂ）、（ｃ）、（ｄ）同軸着部の他の実施例の拡大斜視図、（ｅ）可撓性繋ぎ材を回動手段とした拡大平面図、（ｆ）切欠部を利用した可撓性繋ぎ材による回動手段の側面図、（ｇ）枠材に貫通孔を設け可撓性繋ぎ材で連結した平面図、（ｈ）可撓性繋ぎ材の両端部に止め具を設けた拡大平面図。
【図１３（ｉ）−（ｐ）】（ｉ）嵌着部を設けた可撓性繋ぎ材と止め具との組み合わせの斜視図、（ｊ）嵌着部を設けた可撓性繋ぎ材を落し込んだ状態の平面図、（ｋ）枠材からの突起を嵌入部に嵌合して連結した平面図、（ｌ）枠材の上下部に鉄アレー形状の連結材を嵌入部に嵌合して連結した平面図、（ｍ）同拡大斜視図、（ｎ）同連結材の拡大斜視図、（ｏ）枠材を連結柱としその隅部からの突起を嵌入部に嵌合して連結した平面図、（ｐ）枠材に磁石や磁性体を埋め込んで回動自在とした斜視図。
【図１４】８個のキューブ体を各種装飾物の配置手段とした斜視図。
【図１５】（ａ）、（ｂ）キューブ体を万華鏡として使用した場合の斜視図。
【図１６（ａ）−（ｂ）】（ａ）８個のキューブ体を２組上下に組み合わせた正面図、（ｂ）８個のキューブ体を４組上下左右に組み合わせた斜視図、
【図１６（ｃ）−（ｄ）】（ｃ）８個のキューブ体を５組上下に組み合わせた正面図、（ｄ）８個のキューブ体を７組上下に組み合わせて斜め方向に載置した斜視図。
【発明を実施するための形態】
【００３５】
以下、本発明を実施例に沿って説明する。
【実施例１】
【００３６】
図１に示すものは、８個のキューブ体Ａ乃至Ｈを連結してなる装飾体１で、図１（ａ）は該装飾体１の表面側（便宜上表面側とする）の斜視図を示し、図１（ｂ）はその裏面側（便宜上裏面側とする）の斜視図を示している。
【００３７】
キューブ体Ａ乃至Ｈは、各々６面を有する正六面体で、キューブ体ＡにあってはＡ１乃至Ａ６（キューブ体の各面を便宜上ローマ字と数字で表現する）、キューブ体ＢにあってはＢ１乃至Ｂ６、キューブ体ＣにあってはＣ１乃至Ｃ６、キューブ体ＤにあってはＤ１乃至Ｄ６、キューブ体ＥにあってはＥ１乃至Ｅ６、キューブ体ＦにあってはＦ１乃至Ｆ６、キューブ体ＧにあってはＧ１乃至Ｇ６、キューブ体ＨにあってはＨ１乃至Ｈ６の各面を有するものである。
【００３８】
各々のキューブ体Ａ乃至Ｈは、図１（ａ）、（ｂ）に示すように、Ａ５面とＢ６面、Ｂ５面とＣ６面、Ｃ５面とＤ６面、Ｄ３面とＥ１面、Ｃ３面とＦ１面、Ｅ６面とＦ５面、Ｂ３面とＧ１面、Ｆ６面とＧ５面、Ａ３面ととＨ１面、Ｇ６面とＨ５面とが対向するように位置させ、一形態として直六面体よりなる矩形体が形成されるようにしている。
【００３９】
上記一形態を含めいくつかの形態に変化できるように、Ａ１面乃至Ｈ６面における所定面を折り曲げ自在の可撓性連結材２により連結する。
【００４０】
折り曲げ自在の可撓性連結材２で隣接するキューブ体Ａ乃至Ｈの所定の面を連結する。図２（ａ）、（ｂ）に示す斜線で表現し、且つ、矢印を示したものがキューブ体Ａ乃至Ｈの所定面相互を連結した位置を示している。該可撓性連結材２は、両面粘着テープ、網状体、布、不織布、合成樹脂、紙、生物由来性素材（人工タンパク質、人工クモ繊維等）、…等の折り曲げ自在で強度の有るものを使用する。
【００４１】
また、該可撓性連結材２は、キューブ体Ａ乃至Ｈの所定面Ａ１乃至Ｈ６面において架け渡す両者の面の面全体を覆うようにして貼着する。面全体を貼着することにより折り曲げによる引っ張りに耐えて耐久性を十分に確保することができると同時に、全面が同一厚になり表面側を均一な面とすることができる。
【００４２】
該可撓性連結材２を架け渡す面としては、図２（ａ）、（ｂ）に示すように、
キューブ体ＡのＡ１面の１稜とキューブ体ＢのＢ１面の１稜との位置が隣接するように配置し、可撓性連結材を両者の稜が中心位置となるようにＡ１面とＢ１面及びＡ５面とＢ６面の面全体にわたって架け渡し貼着し、
該キューブ体ＢのＢ２面の１稜とＣ１面乃至Ｃ６面の６面よりなるキューブ体ＣのＣ２面の１稜との位置が隣接するように配置し、折り曲げ自在の可撓性連結材を両者の稜が中心位置となるようにＢ２面とＣ２面及びＢ５面とＣ６面の面全体にわたって架け渡し貼着し、
該キューブ体ＣのＣ１面の１稜とＤ１面乃至Ｄ６面の６面よりなるキューブ体ＤのＤ１面の１稜との位置が隣接するように配置し、折り曲げ自在の可撓性連結材を両者の稜が中心位置となるようにＣ１面とＤ１面及びＣ５面とＤ６面の面全体にわたって架け渡し貼着し、
該キューブ体ＤのＤ３面の１稜とＥ１面乃至Ｅ６面の６面よりなるキューブ体ＥのＥ１面の１稜との位置が隣接するように配置し、折り曲げ自在の可撓性連結材を両者の稜が中心位置となるようにＤ３面とＥ１面及びＤ４面とＥ４面の面全体にわたって架け渡し貼着し、
該キューブ体ＥのＥ３面の１稜とＦ１面乃至Ｆ６面の６面よりなるキューブ体ＦのＦ３面の１稜との位置が隣接するように配置し、折り曲げ自在の可撓性連結材を両者の稜が中心位置となるようにＥ３面とＦ３面及びＥ６面とＦ５面の面全体にわたって架け渡し貼着し、
該キューブ体ＦのＦ２面の１稜とＧ１面乃至Ｇ６面の６面よりなるキューブ体ＧのＧ２面の１稜との位置が隣接するように配置し、折り曲げ自在の可撓性連結材を両者の稜が中心位置となるようにＦ２面とＧ２面及びＦ６面とＧ５面の面全体にわたって架け渡し貼着し、
該キューブ体ＧのＧ３面の１稜とＨ１面乃至Ｈ６面の６面よりなるキューブ体ＨのＨ３面の１稜との位置が隣接するように配置し、折り曲げ自在の可撓性連結材を両者の稜が中心位置となるようにＧ３面とＨ３面及びＧ６面とＨ５面の面全体にわたって架け渡し貼着し、
該キューブ体ＨのＨ１面の１稜と前記キューブ体ＡのＡ３面の１稜との位置が隣接するように配置し、折り曲げ自在の可撓性連結材を両者の稜が中心位置となるようにＨ１面とＡ３面及びＨ４面とＡ４面の面全体にわたって架け渡し貼着し、
上記により８個のキューブ体を所定面において連結していくつかの形態変化が可能な立体形状が形成できるようにしている。
【００４３】
上記によりキューブ体Ａ乃至Ｈは所定面で連結されることになるが、その所定面のみが連結されて折り曲げ移動することができ、非連結箇所は離れる状態で移動することができることになる。図１（ａ）、（ｂ）に示したキューブ体Ａ乃至Ｈを図３（ａ）、（ｂ）の矢印のように折り曲げることができ、例えば、図４（ａ）、（ｂ）に示す形状へと変化させることができる。
【００４４】
上記可撓性連結材２の上面及び該可撓性連結材２が貼着されていない非貼着面の表面を別体となる薄材３の貼着層４とする。
【００４５】
上記キューブ体Ａ乃至Ｈの表面の可撓性連結材２の上面及び非貼着面の表面の貼着層４に、図５に示すように、別体の薄材３を着脱自在に貼着できるようにしている。該薄材３には各種模様、図形、文字、色彩のいずれか又はそれらを組み合わせたもの等のいずれかを表現したものを使用する。薄材３は、その上に直接模様等を表現することができるが、薄片に模様等の有る他の薄片を貼り付けたものでもよい。薄材３として、例えば、和紙、千代紙又は友禅紙のような紙片を使用して装飾効果を出すこともできる。
【００４６】
薄材３は、キューブ体Ａ乃至Ｈの表面に着脱自在としているので、必要に応じて該薄材３を取り替えることができ、該キューブ体Ａ乃至Ｈを折り曲げることで異なった装飾体１を得ることが可能となる。また、可撓性連結材２が厚い場合は、非貼着面に貼着する薄材３を厚くし、該キューブ体が正六面体を維持できるように考慮する。
【００４７】
キューブ体Ａ乃至Ｈの本体の材料は、木材、コルク、竹・籐、集成材、合板、紙、段ボール、熱硬化性プラスチック、熱可塑性プラスチック、光硬化樹脂、プラスチックフィルム、光ファイバー、乾漆、炭素繊維材、ドライカーボン、ウエットカーボン、皮革、人工皮革、金属、鉱石、ガラス、タイル、レンガ、ゴム、コンクリート、セメント、石膏、セラミック、陶磁器、粘土、布・織物、硬化剤で固めた粒状体、骨、土、宝石、スポンジ、ウレタン、発砲スチロール、炭、気体・液体を封入した袋体、飲食物、石鹸、生物由来性素材（人工タンパク質、人工クモ繊維等）等のいずれかとし、内側を充実したもの、内側に空間部を設けたもの、空間部を装飾手段として利用するもの等、下記するように様々なものが考えられる。
【実施例２】
【００４８】
各々のキューブ体Ａ乃至Ｈの内側は充実部とすることができるが、図６に示す断面図のように、空間部５とすることができる。図６（ａ）は、キューブ体の内側を空洞となる空間部５を設けたもので、キューブ体Ａ乃至Ｈを軽量化することができる。
【００４９】
また、図６（ｂ）乃至（ｅ）に示すように、空間部５内を各種物品又は各種装飾物の収納部とすることができる。収納部とする場合は、空間部５を開閉する手段をキューブ体の表面側のいずれかに設ける必要がある。該空間部５をチョコレートやお菓子のような食品、お茶やコーヒー等の嗜好品等の収納部とすることができる。8個のキューブ体により８種類の異なる物を同時に収納することが可能となる。例えば、お茶や紅茶であれば8種類の異なるものを収納しておき、それらを楽しむことができる。
【００５０】
図６（ｂ）は、コ字型部材６を組み合わせることで空間部５を形成するものである。各コ字型部材６ａ、６ｂの縁部をテーパ状に切断形成しておくことにより両者を嵌着することで軽量化のため又は収納手段としての空間部５を形成することができる。
【００５１】
上記各々のキューブ体Ａ乃至Ｈの内側の空間部を利用する場合、いずれかの面に開閉手段としての蓋体７を設けることができる。該空間部５は、各種物品又は各種装飾物を収納する収納手段としての利用の他、必要に応じて該物品や装飾物を取り替えることで、該キューブ体Ａ乃至Ｈの形態変化や表面側の表現変化に加えて更なる装飾効果の有る装飾体１を得ることができる。
【００５２】
該蓋体７としては、各種形状のものが考えられるが、図６（ｃ）に示すものは、キューブ体の一つの表面にスライド自在とした蓋体７ａで、その表面には各種模様、図形、文字、色彩等を施した薄材３を貼着している。
【００５３】
図６（ｄ）は、キューブ体の一縁となる稜線に蓋体７ｂを軸着し、先端側に係止手段８を設けて開閉自在としたものである。
【００５４】
図６（ｅ）の蓋体７ｃは、該蓋体７ｃの裏面側にバネ状の係止手段８を設け、キューブ体の内壁に係合するもので、また、図６（ｆ）は、キューブ体の本体上端部に該係止手段８と嵌合する凹部等の嵌合手段９を設けて嵌着自在に形成したものである。
【００５５】
図６（ｇ）の蓋体７ｄは、該蓋体７ｄの裏面側縁部に磁石１０ａを設け、キューブ体の本体上端部に該磁石１０ａと結合する磁性体１０ｂを設けて着脱自在としたものである。磁石１０ａと磁性体１０ｂとの関係は逆にしてもよい。
【実施例３】
【００５６】
実施例２と同様、キューブ体Ａ乃至Ｈの内側を空間部５とし、且つ、各々のキューブ体の全ての面或いは一部の面を透明又は半透明とし、貼着層を含めた可撓性連結材２及び別体の薄材３を透明又は半透明とすることにより該キューブ体Ａ乃至Ｈの内側空間部５を外部から可視することができるようにしたものである。これにより該空間部５に収納した各種物品や各種装飾物を必要とする６面のいずれの方向からも可視することが可能となる。透明又は半透明の可撓性連結材２や別体の薄材３に様々な模様や図形、文字、色彩等を施しておくことにより空間部５内の各種物品や各種装飾物と模様、図形、文字、色彩等とを組み合わせることができるので、キューブ体の折り曲げによる形態変化とともに格別なる特異な装飾体を得ることが可能となる。
【００５７】
キューブ体Ａ乃至Ｈの面を形成する材料を透明又は半透明のガラス、熱硬化性プラスチック、熱可塑性プラスチック、光硬化樹脂、鉱石、生物由来性素材（人工タンパク質、人工クモ繊維等）等のいずれかとすることによりキューブ体Ａ乃至Ｈの内側を可視可能なものとすることができる。
【００５８】
また、キューブ体Ａ乃至Ｈの内側に各種物品や各種装飾物を出入不可能に閉じ込め、本体を上記と同様の材料よりなる透明又は半透明とし、閉じ込めたものを外部から可視できるようにすることもできる。
【実施例４】
【００５９】
薄材３に夜光塗料、蛍光塗料、蓄光塗料等の発光性塗料や別の光源体により各種模様、図形、文字、色彩等又はそれらを組み合わせたもの等を施すことにより、薄材３から光を放つことができる。また、空間部５内に光源体を設けておき、キューブ体Ａ乃至Ｈを前記実施例のように透明又は半透明とすることでそれらを外側へ放光することも可能である。
【実施例５】
【００６０】
薄材３に芳香剤を浸み込ませたり塗布すること、また、空間部５内に芳香剤を配置すること等によりキューブ体の折り曲げによりそれらに対応する表面側が露見したときや蓋体７を開放したときに様々な香りを放つことができ、それらを楽しむことができる。
【実施例６】
【００６１】
可撓性連結材２の稜の位置に、キューブ体を折り曲げることにより発音する発音体を設けたり、薄材３や空間部５内に発音体を配置したり、キューブ体本体の表面側に発音手段を設けたりすることによりキューブ体Ａ乃至Ｈを折り曲げて形態変化させる毎に、又は表面をこすったり、たたいたり、蓋体７を開放したりした毎に音を楽しむことができる。
【実施例７】
【００６２】
キューブ体が振動や移動等により動くことでそれに共振等の振動エネルギー伝達手段に基づく反応で、各種物品や各種装飾物を動かすことのできる可動物を該キューブ体に収納しておくこともできる。また、キューブ体にソーラーパネルを内蔵しておき、光からエネルギーを得ること等により各種物品や各種装飾物を動かすことができる。
【００６３】
上記のように、様々なエネルギー伝達手段により振動等の強さ、光量、温度等の変化に同調して動きに変化を与えながら各種物品や各種装飾物を可動させることができる。更に、キューブ体内の各種物品や各種装飾物を球体、円柱、角柱、三角錐、四角錘、多角錘、円錐等としておくことにより、正立方体のキューブ体内で上記様々な形状のものが可動することにより各々の組み合わせによる形態変化を楽しむことができる。
【実施例８】
【００６４】
キューブ体を複数の様々な情報や複合的な情報の情報発信手段又は情報受信手段とし、該キューブ体に表現された情報を別体の情報読み取り手段となるアプリケーションソフト（以下、アプリケーションソフトを含め単にアプリケーションという）に情報を送ったり受けたりすることでアプリケーションの想定する具体的な作業を行わせたり行ったりすることができる。
【００６５】
上記情報発信、受信手段は、キューブ体の装飾体に隠して表現したり、キューブ体そのものを装飾付情報媒体とすることもできる。従って、該キューブ体のいずれの面が出現するかによって、装飾体としての変化と同時に、情報伝達媒体としての変化も享受することができる。また、上記情報媒体を機能させるためのエネルギー供給手段は、キューブ体内部又は外部から或いはその両者等が考えられる。また、エネルギー供給手段を必要としない場合も想定できる。後者の場合は、キューブ体表面に表現された情報の伝達等である。
【００６６】
キューブ体表面上の情報を読み込むことで、アプリケーションに発音、発光、芳香、エネルギー伝達による可動等の具体的作業を行わせることができる。例えば、繰り返して聞ける複数の音声メッセージや音楽（キューブ体の各面に表現されている写真や模様、装飾ごとに、それぞれ異なるメッセージや音楽）等が聴ける、室内灯や装飾灯の明るさや色調を変える、気分に合わせて香りをコントロールする、音声メッセージやデジタル化されたデーター等をキューブ体内部の記憶媒体に記憶させる等の作業をアプリケーション経由で行うことが出来る。
【実施例９】
【００６７】
図７は、８個のキューブ体を連結してなる装飾体１１で、キューブ体Ｊ乃至Ｒは、各々６面を有する正六面体で、該正六面体は周辺部を枠材１２によって骨組で形成し、該枠材１２で囲まれた表面側の領域を開口部１３とし、該枠材１２と開口部１３とで表面側の面を形成している。
【００６８】
従って、キューブ体は該枠材１２と該開口部１３とで６面が形成され、該枠材１２が各６面の隅部に位置する面により囲まれた正六面体が形成され、その内側は開口部１３と連通した空間部１４とした形状となる。該枠材１２が隅部を囲む構成の正六面体としているので、極めて軽量なキューブ体とすることができ、持ち運びや使用時のキューブ体の折り曲げに負荷がかからない。また、該枠材１２に各種模様、図形、文字、色彩等及びそれらを組み合わせたものを施すことにより装飾効果のある装飾体とすることができる。
【００６９】
該枠材１２は、図８に示すように、（ａ）、（ｂ）は断面Ｌ字形部材１５とし、図８（ｃ）は該Ｌ字形部材の一辺側を間欠的に突起を設けた突起物１６ａとしたもので、図８（ｄ）は断面三角形状としたもので、内側を空間部１４側に突出した突起物１６ｂとしている。内側の空間部１４側へ突出したＬ字形部材１５又は突起物１６ａ、１６ｂを設けた形状とすることで、該空間部１４内に配設した後述するアダプター１７が該キューブ体Ｊ乃至Ｒより脱落しないようにすることができる。また、該枠材１２は、射出成形やプレス成形によって形成することができる。また、平板の格子状のものに切込みを入れて折り曲げ形成すること或いは平板の格子状のものを作成してそれらを組み合わせることで立体形状のものを形成することも可能である。
【００７０】
上記キューブ体Ｊ乃至Ｒは、
Ｊ１面乃至Ｊ６面の６面の各面を周辺部の枠材と該枠材で囲まれた開口部で形成したキューブ体Ｊと、Ｋ１面乃至Ｋ６面の６面の各面を周辺部の枠材と該枠材で囲まれた開口部で形成したキューブ体Ｋを一方のキューブ体ＪのＪ１面の１稜と他方のキューブ体ＫのＫ１面の１稜との位置が隣接するように配置し、両者の稜の位置を折り曲げ自在の連結部としてキューブ体Ｊ、Ｋを連結し、
該キューブ体ＫのＫ２面の１稜とＬ１面乃至Ｌ６面の６面の各面を周辺部の枠材と該枠材で囲まれた開口部で形成したキューブ体ＬのＬ２面の１稜との位置が隣接するように配置し、両者の稜の位置に折り曲げ自在の連結材を設けてキューブ体Ｋ、Ｌを連結し、
該キューブ体ＬのＬ１面の１稜とＭ１面乃至Ｍ６面の６面の各面を周辺部の枠材と該枠材で囲まれた開口部で形成したキューブ体ＭのＭ１面の１稜との位置が隣接するように配置し、両者の稜の位置に折り曲げ自在の連結材を設けてキューブ体Ｌ、Ｍを連結し、
該キューブ体ＭのＭ３面の１稜とＮ１面乃至Ｎ６面の６面の各面を周辺部の枠材と該枠材で囲まれた開口部で形成したキューブ体ＮのＮ１面の１稜との位置が隣接するように配置し、両者の稜の位置に折り曲げ自在の連結材を設けてキューブ体Ｍ、Ｎを連結し、
該キューブ体ＮのＮ３面の１稜とＰ１面乃至Ｐ６面の６面の各面を周辺部の枠材と該枠材で囲まれた開口部で形成したキューブ体ＰのＰ３面の１稜との位置が隣接するように配置し、両者の稜の位置に折り曲げ自在の連結材を設けてキューブ体Ｎ、Ｐを連結し、
該キューブ体ＰのＰ２面の１稜とＱ１面乃至Ｑ６面の６面の各面を周辺部の枠材と該枠材で囲まれた開口部で形成したキューブ体ＱのＱ２面の１稜との位置が隣接するように配置し、両者の稜の位置に折り曲げ自在の連結材を設けてキューブ体Ｐ、Ｑを連結し、
該キューブ体ＱのＱ３面の１稜とＲ１面乃至Ｒ６面の６面の各面を周辺部の枠材と該枠材で囲まれた開口部で形成したキューブ体ＲのＲ３面の１稜との位置が隣接するように配置し、両者の稜の位置に折り曲げ自在の連結材を設けてキューブ体Ｑ、Ｒを連結し、
該キューブ体ＲのＲ１面の１稜と前記キューブ体ＪのＪ３面の１稜との位置が隣接するように配置し、両者の稜の位置に折り曲げ自在の連結材を設けてキューブ体Ｒ、Ｊを連結し、
上記により８個のキューブ体を所定面において連結して立体形状が形成できるようにしている。
【００７１】
図９に示すように、該枠材１２によって形成されたいずれかの面を、着脱自在の蓋部１８とすることにより、空間部１４を各種物品や各種装飾物の収納空間とすることができる。例えば、図１０（ａ）に示すようなアダプター１７の収納空間とすることができる。
【００７２】
上記空間部１４に配設されるアダプター１７は、その周辺部を該枠材１２の空間部１４側となる内側に係止できるような形状とし、且つ、出し入れが容易となる形状とする。例えば、周辺部にテーパ状切欠部１９を設けた形状のものが良好である。また、図１０（ｂ）に示すように、図６（ｂ）のものと同様、コ字型部材を組み合わせたものをアダプター１７として使用することもできる。また、その表面に各種模様、図形、文字、色彩又はそれらを組み合わせたもの等を施しておいたり貼着することもできる。
【００７３】
上記装飾手段として、装飾された和紙、千代紙又は友禅紙等のものを貼着使用することができる。また、凸部の有る装飾手段であってもアダプター１７よりも枠材１２が表面側に突出しているので、該凸部がキューブ体Ｊ乃至Ｒの折り曲げによって隣接する他のキューブ体の面に該装飾手段が接触することはなく、該装飾手段が磨耗するおそれがない。
【実施例１０】
【００７４】
また、図１１に示すように、中心部を正六面体を含め様々な形状のスペーサ２０とし、その周面部となる６面をフレーム付装飾物２１を着脱自在とすることで、各面で異なった枠付の写真、絵画、模様等の装飾物を得るアダプター１７とすることができる。また、該フレーム付装飾物２１の該フレームを、枠材１２の内側に係止する前記したテーパ状切欠部１９の役割を成すことができる。
【実施例１１】
【００７５】
該アダプター１７は、図１２（ａ）、（ｂ）に示すように、内側を収納部２２とし、その周面部の一部を開閉自在の蓋体２３とすることにより各種物品や各種装飾物等の収納物を出し入れ自在に収納することができる。特に、周面部を透明又は半透明の材料で形成することにより該収納物を外側から可視することが可能となる。例えば、立体的な装飾物であればその形状を六面の異なる方向から見ることが可能となる。
【実施例１２】
【００７６】
また、該アダプター１７の周面部を光源体を備えたものとしたり、透明又は半透明の材料で形成し、内側に形状や色彩の異なる各種光源体そのものの装飾物或いは光源体を備えた装飾物等の発光手段の有る収納物とすることによりキューブ体の形態変化に対応して異なった様々な趣きのある装飾体とすることができる。
【実施例１３】
【００７７】
また、芳香剤を浸み込ませた板体等を６面或いはそのいずれかに貼着すること或いはアダプター１７内に芳香剤を設けておき蓋体２３の開放により香りを放つことができるし、キューブ体の位置により香りの異なる放香ができるように予め調整配設しておくことも可能である。
【実施例１４】
【００７８】
更に、枠材１２の稜の位置にキューブ体を折り曲げることにより発音する発音体を設けたり、アダプター１７の内側に発音体を配置したり、アダプター１７の表面側に発音手段を設けたりすることによりキューブ体Ｊ乃至Ｒを形態変化させる毎に、又は表面をこすったり、蓋体２３の開放毎に様々な音を楽しむことができる。
【００７９】
上記実施例１０、１１、１２のアダプター１７内に光源体や芳香剤や発音体を収納した場合、アダプター１７の所定の面に孔を設けておくことにより更に異なった趣を醸し出すことができる。
【００８０】
また、アダプター１７内に、キューブ体が振動や移動等により動くことでそれに共振等の振動エネルギー伝達手段に基づく反応で、各種物品や各種装飾物を動かすことのできる可動物を収納しておくことができる。
【００８１】
更に、アダプター１７を複数の様々な情報や複合的な情報の情報発信手段又は情報受信手段とし、該アダプター１７に表現された情報を別体の情報読み取り手段となるアプリケーションに情報を送ったり受けたりすることでアプリケーションの想定する具体的な作業を行わせたり行ったりすることができる。上記情報発信、受信手段は、アダプター１７の装飾体に隠して表現したり、アダプター１７そのものを装飾付情報媒体とすることもできる。従って、該アダプター１７のいずれかの面が出現するかによって、装飾体としての変化と同時に、情報伝達媒体としての変化も享受することができる。また、上記情報媒体を機能させるためのエネルギー供給手段は、アダプター１７内部又は外部から或いはその両者等が考えられる。また、エネルギー供給手段を必要としない場合も想定できる。後者の場合は、アダプター１７表面に表現された情報の伝達等である。
【実施例１５】
【００８２】
キューブ体Ｊ乃至Ｒ相互の連結位置は、実施例１と同様、前記した特定の位置の稜部分であり、その連結手段として、図１３に示すようなものがある。図１３（ａ）は軸着して折り曲げ自在に連結したものである。連結する両者の枠材１２の稜部分に切欠部を設け、該切欠部に軸２４を入り込ませることで折り曲げ自在とすることができ、両者の枠材１２の表面側の面相互を密着させることができる。
【００８３】
また、上記軸着は、図１３（ｂ）、（ｃ）、（ｄ）の拡大図で示すように、一方の枠材１２に切欠部及び他方の枠材１２に突起部を各々設け、それらを嵌合し、軸を挿入することで切欠部側と突起部側のキューブ体とが軸着され、強度の得られる連結手段とすることができる。また、突起部側も軸により回動自在とすることで折り曲げ自在をスムーズに行うことができる。
【００８４】
図１３（ｅ）は、連結手段の他の実施例で、連結する両者の枠材１２の稜部分に跨って強度の有る可撓性繋ぎ材２５を掛け渡したもので、図１３（ｆ）は、枠材１２に切欠部を設け、該切欠部相互に強度の有る可撓性繋ぎ材２５を掛け渡したものである。該可撓性繋ぎ材２５としては、例えば、布や薄皮、生物由来性素材（人工タンパク質、人工クモ繊維等）等のようなもの、を固定することにより折り曲げ自在とすることができる。
【００８５】
図１３（ｇ）、（ｈ）は、連結手段の他の実施例で、連結する両者の枠材１２の稜部分に貫通孔２６を形成し、該貫通孔２６に上記同様の強度の有る可撓性繋ぎ材２５を貫通させ、固定したものである。可撓性繋ぎ材２５の固定手段として、その貫通させた両縁部を枠材１２に固定したり、図１３（ｈ）のように両縁部に止め具２７を設けることで枠材１２に固定することで、折り曲げ自在とすることができる。
【００８６】
また、図１３（ｉ）のように、可撓性繋ぎ材２５と止め具２７とを予め一体とし、頭部に嵌着部２８を設けたものを、図１３（ｊ）に示すように、切欠した枠材１２の上方側から落し込んで嵌着係止させることで両者を折り曲げ自在に連結することができるようにしたもの等がある。枠材１２に蓋部１８を設ける場合は、該蓋部１８側の枠材１２が薄くなるので該蓋部１８のない側の枠材１２に切欠部を設けることになる。
【００８７】
他方、枠材１２は比較的細い部材で形成されるため該枠材１２に大きな切り込みや欠損部を設けると該枠材１２の強度に影響を与えることになるので、図１３（ｋ）のように、該枠材１２の隅部の外方から間欠的に突起２９を設けておき、隣接する枠材１２の隅部には該突起２９が嵌り込む嵌入部３０を設けることで両者を嵌め合わせて折り曲げ自在に連結することができる。該突起２９と嵌入部３０を隣接する枠材１２において交互に設けることで枠材１２の強度を保つことができる。
【００８８】
また、図１３（ｌ）のように、隣接する両枠材１２の上下部に嵌入部３１を設け、両端部を膨出させた鉄アレー形状の連結材３２の該膨出部分を該嵌入部３１に嵌め込むことで両者を折り曲げ自在に連結することができる。図１３（ｍ）、（ｎ）は、嵌入部３１と連結材３２の拡大斜視図を示している。
【００８９】
上記図１３（ｎ）に示す連結材３２は、平断面図形状を左右対称とし、両端部に膨出部、該膨出部に連続して肉厚部を各々形成し、それらを中央部の薄肉部で連結した形状としている。例えば、肉厚部を０．６ｍｍ厚とし、薄肉部はその１／３の０．２ｍｍ厚としている。薄肉部は０．１〜０．３ｍｍ厚が良好である。上記断面図形状のものを長手方向に延出させた形状とし、該薄肉部を中心にして１８０度以上の折れ曲がりが可能で、反復回動できるように構成している。また、該連結材３２は、ポリプロピレンやポリカーボネート等の可撓性を有する材料で形成することにより薄厚でも引張強度や曲げ強度を有し劣化することなく反復使用が可能なものとしている。
【００９０】
該連結材３２は、極めて小さな部材で軽量で、所定箇所に嵌入等により設置でき、且つ、他の部材を使用することなく単独使用できるので枠材１２等の部材幅の狭い物品から厚い部材まで対応できるものである。また、形状がシンプルなので金型や射出成形等により量産でき、様々な色に着色することも簡単で、低コストの連結材として汎用性が期待できるものである。
【００９１】
更に、図１３（ｏ）のように、隅部の枠材１２を断面三角形状や断面Ｌ字形状等の連結柱３３として形成し、隣接する両枠材１２の連結柱３３の隅部から各々外方へ突出した突起３４を相手方の嵌入部３５に嵌入させることで、枠材１２の補強を兼ねた折り曲げ自在の連結部とすることができる。
【００９２】
図１３（ｐ）は、連結手段の他の実施例で、稜部分に磁石や磁性体３６を枠材１２に埋め込んだもので、上記同様、枠材１２を弱めることなくキューブ体の相互を連結し折り曲げ自在となるようにしている。
【実施例１６】
【００９３】
図１４は、ワインボトル等の酒類のビン、花瓶、植木鉢等の装飾物を配置収納するための装飾的収納手段として使用した実施例を示している。枠材１２のみで構成し、開口部及び空間部をそのままとすることにより連結したキューブ体相互間に連続した空間を得ることができ、各種装飾物の収納部とすることができる。
【実施例１７】
【００９４】
図１５（ａ）、（ｂ）は、キューブ体を万華鏡として使用した場合の実施例を示している。周囲の枠材１２間を透明又は半透明の光を取り入れることのできる材料で被覆隠蔽し、内側を鏡状の反射材料とし、内側空間部１４に可動する小片装飾物を封入し、且つ、キューブ体のいずれかの面の端部側に位置する開口部を密閉することなく空間部と連通する覗き口３７とすることで万華鏡を得ることができる。本体全体を回動させることにより封入した装飾物が変化して万華鏡として楽しむことができる。
【実施例１８】
【００９５】
上記いずれの実施例も８個のキューブ体を折り曲げ自在に連結したものについて述べたが、図１６に示すように、それら８個のキューブ体１、１１を更に組み合わせて、図１６（ａ）に示す８個のキューブ体を２個組み合わせて１６個としたもの、２４個としたもの、図１６（ｂ）に示す３２個としたもの、図１６（ｃ）に示す８個のキューブ体を５個組み合わせて４０個としたもの、４８個としたもの、図１６（ｄ）に示すように、８個のキューブ体を７個組み合わせて５６個としたもの、…等の８個のキューブ体をいくつか組み合わせて様々な形状や装飾が得られる装飾体とすることができる。
【００９６】
本発明は、上記各実施例のもののみに限定されるものではなく、また、各実施例を組み合わせたものも本発明の対象となることは言うまでもない。
【符号の説明】
【００９７】
１、１１          ８個のキューブ体を連結してなる装飾体
２                可撓性連結材
３                薄材
４                貼着層
５、１４          空間部
６                コ字型部材
７、２３          蓋体
８                係止手段
９                嵌合手段
１０、３６        磁石、磁性体
１２              枠材
１３              開口部
１５              Ｌ字形部材
１６              突起物
１７              アダプター
１８              蓋部
１９              テーパ状切欠部
２０              スペーサ
２１              フレーム付装飾物
２２              収納部
２４              軸
２５              可撓性繋ぎ材
２６              貫通孔
２７              止め具
２８              嵌着部
２９、３４        突起
３０、３１、３５  嵌入部
３２              連結材
３３              連結柱
３７              覗き口
【図１】
2017087656.tif 000003
【図２】
2017087656.tif 000004
【図３】
2017087656.tif 000005
【図４】
2017087656.tif 000006
【図５】
2017087656.tif 000007
【図６】
2017087656.tif 000008
【図７】
2017087656.tif 000009
【図８】
2017087656.tif 000010
【図９】
2017087656.tif 000011
【図１０】
2017087656.tif 000012
【図１１】
2017087656.tif 000013
【図１２】
2017087656.tif 000014
【図１３（ａ）−（ｈ）】
2017087656.tif 000015
【図１３（ｉ）−（ｐ）】
2017087656.tif 000016
【図１４】
2017087656.tif 000017
【図１５】
2017087656.tif 000018
【図１６（ａ）−（ｂ）】
2017087656.tif 000019
【図１６（ｃ）−（ｄ）】
2017087656.tif 000020